(57)【要約】【課題】発泡樹脂材からなる断熱性を有する防水パンにおいて、浴槽設置時に、浴槽がぶつかった場合であっても水返し部が破損することのない浴槽設置構造を提供する。【解決手段】内槽部の上端縁から外方側に突出形成されたフランジ部の上に壁パネルが載置され、前記フランジ部の裏側において下方側に突出形成されたリブ部を有する浴槽と、前記浴槽の下側に配置され、底面部と前記底面部の周縁から上方に立ち上がり形成された側面部とを有し、発泡樹脂材から形成された防水パンと、前記防水パンの側面部の上端に水密的に取り付けられ、前記防水パンの側面部の上端から上方に立ち上がるように形成され、前記浴槽のリブ部よりも外方側に配置される水返し部を有する水返し部材と、を備え、前記水返し部は、可撓性を有する材料から形成されていることを特徴とする。【選択図】  図２
2010187800.tif 000002
【特許請求の範囲】
【請求項１】
内槽部の上端縁から外方側に突出形成されたフランジ部の上に壁パネルが載置され、前記フランジ部の裏側において下方側に突出形成されたリブ部を有する浴槽と、
前記浴槽の下側に配置され、底面部と前記底面部の周縁から上方に立ち上がり形成された側面部とを有し、発泡樹脂材から形成された防水パンと、
前記防水パンの側面部の上端に水密的に取り付けられ、前記防水パンの側面部の上端から上方に立ち上がるように形成され、前記浴槽のリブ部よりも外方側に配置される水返し部を有する水返し部材と、を備え、
前記水返し部は、可撓性を有する材料から形成されていることを特徴とする浴槽設置構造。
【請求項２】
前記防水パンの側面部上端において、水返し部より内方側にはパッキンが着設されており、
前記パッキンは、前記浴槽を設置した際に前記リブ部によって押圧されることを特徴とする請求項１記載の浴槽設置構造。
【請求項３】
前記防水パンの側面部上端は、前記浴槽のリブ部下端よりもわずかに下方に位置し、前記水返し部の少なくとも一部は、前記浴槽のリブ部下端よりも上方側に位置するように設置されることを特徴とする請求項１または２記載の浴槽設置構造。
【発明の詳細な説明】
【技術分野】
【０００１】
本発明は、浴槽のフランジ部上に壁パネルを載置し、浴槽の下側に発泡樹脂材からなる断熱性を有する防水パンを設置する浴槽設置構造に関する。
【背景技術】
【０００２】
従来、特許文献１に示すように、浴槽のフランジ部上に壁パネルを載置し、浴槽の下側に発泡樹脂材からなる断熱性を有する防水パンを設置する浴槽設置構造が開示されている。この構造では、浴槽の保温性を高めるために、防水パンの側面部上端を高く立ち上げ、浴槽裏側に形成されるリブ部と、防水パンの側面部上端とを係合させている。
【０００３】
特に、浴槽のリブ部よりも、防水パンの側壁部上端を外方側に配置させることで、水返し部としての役割を付与でき、浴槽のリブ部で発生した結露水を外部に漏出しないようすることができる。
【０００４】
しかしながら、特許文献１に開示された浴槽設置構造は、水返し部を発泡樹脂材で一体形成したものであるため、浴槽設置時に、脆弱な水返し部に浴槽がぶつかり、衝撃で水返し部が破損するおそれがあった。
【先行技術文献】
【特許文献】
【０００５】
【特許文献１】特開２００７−９２３４６号公報
【発明の概要】
【発明が解決しようとする課題】
【０００６】
本発明は、上述した問題に鑑み、発泡樹脂材からなる断熱性を有する防水パンにおいて、浴槽設置時に、浴槽がぶつかった場合であっても水返し部が破損することのない浴槽設置構造を提供することを目的とする。
【課題を解決するための手段】
【０００７】
本発明の一様態によれば、
内槽部の上端縁から外方側に突出形成されたフランジ部の上に壁パネルが載置され、前記フランジ部の裏側において下方側に突出形成されたリブ部を有する浴槽と、
前記浴槽の下側に配置され、底面部と前記底面部の周縁から上方に立ち上がり形成された側面部とを有し、発泡樹脂材から形成された防水パンと、
前記防水パンの側面部の上端に水密的に取り付けられ、前記防水パンの側面部の上端から上方に立ち上がるように形成され、前記浴槽のリブ部よりも外方側に配置される水返し部を有する水返し部材と、を備え、
前記水返し部は、可撓性を有する材料から形成されていることを特徴とする浴槽設置構造を提供する。
【発明の効果】
【０００８】
本発明によれば、発泡樹脂材からなる断熱性を有する防水パンにおいて、浴槽設置時に、浴槽がぶつかった場合であっても水返し部が破損することのない浴槽設置構造を提供することができる。
【図面の簡単な説明】
【０００９】
【図１】本発明の浴槽設置構造を適用した浴室要部の斜視図
【図２】本発明の浴槽設置構造を適用した浴室要部の分解斜視図
【図３】本発明の浴槽設置構造を適用した浴室要部の断面図
【図４】本発明の水返し部材コーナー部の展開図
【発明を実施するための形態】
【００１０】
以下、本発明の実施の形態を図面に基づいて詳細に説明する。図１は本発明の本発明における浴槽設置構造に関する斜視図である。図２は、本発明の本発明における浴槽設置構造に関する分解斜視図である。図３は、本発明の本発明における浴槽設置構造に関する断面図である。
【００１１】
本発明におけるユニットバスは、洗い場側の床面を構成するＦＲＰ製の洗い場用防水パンと、洗い場用防水パンに隣接して配設される発泡樹脂材料（例えばＥＰＰ、発泡ポリエチレン、発泡ポリスチレンが挙げられる）から形成された浴槽用防水パン４とを備える。浴槽用防水パン４は、底面部１０と底面部の周縁から上方に立ち上がり形成された側面部９とを備える。浴槽用防水パンの側面部９は、洗い場側に面する辺のみ低めに形成されており、残りの３辺は、後述する浴槽のリブ部５近くまで高く形成されている。
【００１２】
また、洗い場用防水パンは金属製の洗い場用架台の上に載置され、浴槽用防水パン４は金属製の浴槽用架台の上に載置される。洗い場用防水パン上には、排水勾配が形成されており、その水下には排水トラップが取設されている。一方、浴槽用防水パン上に流れ込んだ水は、浴槽用防水パン４の底面部に取設された浴槽排水エルボと浴槽排水管を介して、排水トラップ内に導かれるようになっている。
【００１３】
図２に示すように、浴槽用防水パン４の上部には、浴槽１が配置されている。浴槽１は浴槽水を貯水する内槽部８と、内槽部の上端全周からは、外方側に突出形成されたフランジ部２とを備える。洗い場側の辺を除くフランジ部２の外周端には上方に立ち上がり形成された水返しとしての役割を担う側壁部９が形成されている。また、洗い場側の辺を除くフランジ部２の下面には下方に突出形成されたリブ部５が形成されている。また、詳細は後述するが、浴槽防水パン４の側面部９の洗い場側を除く３辺の上端には、可撓性を有する水返し部材６が水密的に取り付けられている。水返し部材６を構成する材料としては、例えばＡＢＳ、ＰＥ、塩化ビニールが挙げられる。
【００１４】
尚、浴槽１は、強度的に脆弱な浴槽防水パン４には直接荷重がかからない構造となっている。具体的には、浴槽防水パン４の底面部には開口部が形成されており、開口部に、強度の大きい浴槽載置部材が水密的に取り付けられている。つまり、浴槽１の荷重は、浴槽載置部材を介して、浴槽架台に伝達されるため、浴槽防水パン４には荷重がかからない。
【００１５】
図１に示すように、洗い場側を除く浴槽フランジ部２の３辺の上面には、壁パネル３を載置するための壁載部が形成されている。また、洗い場用防水パン４の浴槽側を除く３辺の上面にも同様に壁載部が形成されている。このようにして、浴槽１と洗い場用防水パンの外縁部には壁パネル３が水密的に取り付けられることとなる。
【００１６】
さらに、壁パネル３の上端には天井パネルが水密的に取り付けられ、浴槽１の洗い場側フランジ部２と洗い場防水パンの浴槽側縁部との間の開口を水密的に塞ぐようにバスエプロンが取り付けられる。このようにして、本発明のユニットバスは水密的な空間が形成される。
【００１７】
図３に示すように、水返し部材６は、浴槽用防水パン４の側面部の内面側と外面側を挟み込むように、下方に開口した凹部を有する。凹部に水密性を有する接着剤を塗布して、側面部の上端に取り付けられている。水密部材の凹部の上面の外側端部には上方に突出形成された水返し部６が形成されている。凹部は、浴槽１のリブ部５の下端よりやや下方に位置するように配置されるが、水返し部１１の上端は、少なくとも浴槽１のリブ部５の下端よりも上方に位置するように配置されている。このように、上方に立ち上がり形成された水返し部１１の上端を、浴槽１のリブ部５の下端よりも上方に配置させることにより、浴槽１リブ部５で結露水が発生した場合などでも浴槽防水パン４の外部に水が漏出することがなくなる。
【００１８】
さらに、水返し部１１は可撓性を有する材料で形成されているため、予め水返し部材６が取り付けられた状態で浴槽１を設置した場合に、浴槽１が水返し部１１にぶつかっても、水返し部１１が破損することがない。
【００１９】
また、本実施形態では、１本の水返し部材６を３辺に取りまわしている。この場合、コーナー部は、図４に示すように、凹部のみを４角形状にカットし、水返し部１１を残すようにすれば良い。
【００２０】
また、凹部の水返し部１１より内方側の上面には、パッキン７が着設されている。このパッキン７は浴槽を設置した際に、リブ部５がパッキン７を下方に押し潰すように設計されている。つまり、浴槽設置状態において、浴槽下面側と浴槽防水パン４上面側とはパッキン７を介して気密的な空間となるため、浴槽下面側が外気と遮断されるため、断熱性を高めることができ、浴槽水の湯冷めが起きにくくなる。
【００２１】
以上の通り、浴槽１のリブ部５から結露水が発生した際の水返しの役割を担う、水返し部１１に可撓性を持たせたため、浴槽設置時に、浴槽１が水返し部１１にぶつかっても破損しない浴槽設置構造を提供することが可能となった。
【符号の説明】
【００２２】
１・・・浴槽
２・・・フランジ部
３・・・壁パネル
４・・・浴槽用防水パン
５・・・リブ部
６・・・水返し部材
７・・・パッキン
８・・・内槽部
９・・・側面部
１０・・・底面部
１１・・・水返し部
１２・・・側壁
【図１】
2010187800.tif 000003
【図２】
2010187800.tif 000004
【図３】
2010187800.tif 000005
【図４】
2010187800.tif 000006